(57)【要約】      （修正有）【課題】押出装置をセットする際に、ハンドルが押出装置に支障を及ぼす惧れのない医療用ペースト混練注入器を提供する。【解決手段】前端部にノズル部を有し、後端部が開口したシリンダ１と、シリンダ１内に軸心方向に摺動自在に挿入されたピストン３と、ピストン３に軸心方向に進退自在に螺挿され、後端部が取付部とされたピストンロッド２２と、ピストンロッド２２の前端部に備えられて、ピストン３とシリンダ１の前端部間に位置する攪拌体２３と、取付部に着脱自在に備えられて、シリンダ１の後方に位置するハンドル６を有する。【選択図】図１
2006334184.tif 000002
【特許請求の範囲】
【請求項１】
前端部にノズル部を有し、後端部が開口したシリンダと、
シリンダ内に軸心方向に摺動自在に挿入されたピストンと、
ピストンに軸心方向に進退自在に螺挿され、後端部が取付部とされたピストンロッドと、
ピストンロッドの前端部に備えられて、ピストンとシリンダの前端部間に位置する攪拌体と、
取付部に備えられて、シリンダの後方に位置するハンドル
を有する医療用ペースト混練注入器において、
ハンドルが取付部に着脱自在に備えられた医療用ペースト混練注入器。
【請求項２】
ハンドルに挿入孔が軸心方向に形成され、
取付部が挿入孔に前方から挿入、固定された請求項１記載の医療用ペースト混練注入器。
【請求項３】
取付部の後端部の外周面が、後方に向かってテーパー状のテーパー面とされた請求項１又は２記載の医療用ペースト混練注入器。
【請求項４】
挿入孔の前端部の内周面が、後方に向かってテーパー状のテーパー面とされた請求項１〜３の何れかに記載の医療用ペースト混練注入器。
【請求項５】
挿入孔の後端部の内周面が、前方に向かってテーパー状のテーパー面とされた請求項１〜４の何れかに記載の医療用ペースト混練注入器。
【請求項６】
挿入孔の横断面形状が略多角形とされると共に、
挿入孔が、
前部側の第１孔部と、
第１孔部よりも横断面が大とされた後部側の第２孔部と、
両孔部を段付き状に接続して、後方に対して面状を呈する抜止面
を有し、
取付部が、
その前部に位置し、横断面形状が挿入孔と対応する略多角形とされて、第１孔部内    に挿入され、第１孔部の内周面と周方向に関して当接することで、ハンドルの取付部    のに対する回動を阻止する中実の中実部と、
中実部の後端部の外周部における、周方向に関する複数箇所から後方に突設される    と共に、径方向に弾性変形を介して揺動可能とされ、第１孔部内に挿入されて、第１    孔部の内周面と周方向に関して当接することで、ハンドルの取付部に対する回動を阻    止する複数の突設部と、
各突設部の後端部から後方に突設されると共に、突設部よりも径方向外方に突出し    て、この突出部分の前面が、前方に対して面状を呈する係合面とされており、第２孔    部内に挿入されて、係合面と抜止面の軸心方向に関する当接により、ハンドルの後方    側への移動を阻止する係合爪
を有し、
ピストンロッドにおける、取付部とその前方側部分の境界部分に、
後方に対して面状を呈し、ハンドルと軸心方向に関して当接することで、ハンドル    の前方への移動を阻止する当接面
が形成された請求項１〜５の何れかに記載の医療用ペースト混練注入器。
【請求項７】
第１孔部における、略多角形とされた横断面形状において、その各辺部の中央部が、外方に突出する円弧状とされた請求項６記載の医療用ペースト混練注入器。
【発明の詳細な説明】
【技術分野】
【０００１】
本発明は医療用ペースト混練注入器に関し、更に詳しくは、医科又は歯科の治療に使用される医療用ペーストを調合できると共に、この調合した医療用ペーストを体内等に注入できる医療用ペースト混練注入器に関する。
【背景技術】
【０００２】
現在、歯科を含む医療用分野において、例えば、リン酸カルシウム系骨ペーストを調合して、この調合した骨ペーストを体内等に注入して、生体骨や歯の欠損部位を補ったり、金属やセラミックス等から成る人工骨を生体骨に接着する治療が行われている。
【０００３】
上記骨ペーストの調合及び注入を容易に行えるものとして、医療用ペースト混練注入器を本願出願人は既に提案している（特許文献１参照）。上記のものは、前端部にノズル部を有し且つ後端部が開口したシリンダと、シリンダ内に軸心方向に摺動自在に挿入されたピストンと、ピストンに軸心方向に進退自在に螺挿されたピストンロッドと、ピストンロッドの前端部に備えられ且つピストンの前方に位置する攪拌体と、ピストンロッドの後端部に備えられ且つシリンダの後方に位置するハンドルを有している。このものでは、ハンドルによる攪拌体の回転操作により、シリンダ内で骨ペーストが調合された後、この調合された骨ペーストがピストンにより押圧されて、ノズル部から体内等に注入される。
【０００４】
ところで、上記骨ペーストの注入時には、通常、術者がハンドルによりピストンを押圧して、骨ペーストを注入するが、この注入を軽い力で行うために、押出装置（注入ガン）を、補助具として、医療用ペースト混練注入器にセットすることが考えられる。ところが、上記従来においては、医療用ペースト混練注入器のハンドルがピストンロッドに固定されていたため、押出装置のセット時に、ハンドルが支障を及ぼす惧れがあり、この点に関する改善が要望されていた。
【０００５】
【特許文献１】特開２００４−２５４７８１号公報
【発明の開示】
【発明が解決しようとする課題】
【０００６】
解決しようとする問題点は、押出装置を、補助具として、医療用ペースト混練注入器にセットした際に、ハンドルが支障を及ぼす惧れがあった点である。
【課題を解決するための手段】
【０００７】
本発明は上記問題を解決できる医療用ペースト混練注入器を提供することを目的とし、その目的を達成するために、本発明の特徴とするところは、前端部にノズル部を有し、後端部が開口したシリンダと、シリンダ内に軸心方向に摺動自在に挿入されたピストンと、ピストンに軸心方向に進退自在に螺挿され、後端部が取付部とされたピストンロッドと、ピストンロッドの前端部に備えられて、ピストンとシリンダの前端部間に位置する攪拌体と、取付部に備えられて、シリンダの後方に位置するハンドルを有する医療用ペースト混練注入器において、ハンドルが取付部に着脱自在に備えられた点にある。
尚、ハンドルに挿入孔が軸心方向に形成され、取付部が挿入孔に前方から挿入、固定されることもある。
又、取付部の後端部の外周面が、後方に向かってテーパー状に形成されたテーパー面とされることもある。
更に、挿入孔の前端部の内周面が、後方に向かってテーパー状のテーパー面とされることもある。
又、挿入孔の後端部の内周面が、前方に向かってテーパー状のテーパー面とされることもある。
更に、挿入孔の横断面形状が略多角形とされると共に、挿入孔が、前部側の第１孔部と、第１孔部よりも横断面が大とされた後部側の第２孔部と、両孔部を段付き状に接続して、後方に対して面状を呈する抜止面を有し、取付部が、その前部に位置し、横断面形状が挿入孔と対応する略多角形とされて、第１孔部内に挿入され、第１孔部の内周面と周方向に関して当接することで、ハンドルの取付部のに対する回動を阻止する中実の中実部と、中実部の後端部の外周部における、周方向に関する複数箇所から後方に突設されると共に、径方向に弾性変形を介して揺動可能とされ、第１孔部内に挿入されて、第１孔部の内周面と周方向に関して当接することで、ハンドルの取付部に対する回動を阻止する複数の突設部と、各突設部の後端部から後方に突設されると共に、突設部よりも径方向外方に突出して、この突出部分の前面が、前方に対して面状を呈する係合面とされており、第２孔部内に挿入されて、係合面と抜止面の軸心方向に関する当接により、ハンドルの後方側への移動を阻止する係合爪を有し、ピストンロッドにおける、取付部とその前方側部分の境界部分に、後方に対して面状を呈し、ハンドルと軸心方向に関して当接することで、ハンドルの前方への移動を阻止する当接面が形成されることもある。
又、第１孔部における、略多角形とされた横断面形状において、その各辺部の中央部が、外方に突出する円弧状とされることもある。
【発明の効果】
【０００８】
本発明によれば、押出装置を医療用ペースト混練注入器にセットする際には、ハンドルをピストンロッドから取外せば、ハンドルが押出装置に支障を及ぼす惧れをなくすことができる。
又、請求項３〜７記載の発明によれば、ハンドルのピストンロッドの取付部に対する着脱を小さな力で容易且つスムーズに行える。
更に、請求項６記載の発明によれば、中実部が中実とされて、弾性変形しないので、中実部と第１孔部の内周面の周方向に関する当接により、ハンドルのピストンロッドに対する回動を確実に阻止できる。
【発明を実施するための最良の形態】
【０００９】
以下、本発明の実施の形態の一例を図面に後づき説明すると、図１及び図２に示すように、本発明の医療用ペースト混練注入器は、シリンダ１と、キャップ２と、ピストン３と、シール材４と、ピストンロッドユニット５と、ハンドル６と、ストッパ７を有する。シール材４はゴムやその他のシール機能を有する材料で形成され、その他の部材は合成樹脂製とされている。
【００１０】
シリンダ１は透明とされて、後端部が開口しており、円筒状の本体９と、本体９の前端部に形成され且つ本体９よりも小径とされたノズル部１０と、本体９の後端部に形成され且つ径方向外方に突出するフランジ部１１を有する。ノズル部１０にはキャップ２が着脱自在に螺合されている。
【００１１】
ピストン３はシリンダ１内に軸心方向（前後方向）に摺動自在で且つ挿脱自在に挿入されるもので、前後両端が開口し且つ内部に雌螺子が形成された円筒状の管部１３と、管部１３に前端部から後端部に向かって軸心方向に並設された小径鍔部１４、前側鍔部１５、中間鍔部１６及び後側鍔部１７と、管部１３に固設されると共に前側鍔部１５と中間鍔部１６を連結する補強部１８と、管部１３に固設されると共に中間鍔部１６と後側鍔部１７を連結する係合補強部１９及び位置決め補強部２０等を有する。小径鍔部１４は管部１３の前端部に形成されて、他の鍔部よりも小径とされている。小径鍔部１４にはシール材４が着脱自在に嵌着されて、シリンダ１内面に摺接し、ピストン３とシリンダ１内周面間をシールする。前側鍔部１５、中間鍔部１６及び後側鍔部１７は同一径とされ、後側鍔部１７は管部１３の後端部に形成されている。位置決め補強部２０は一対とされ、径方向に関して、係合補強部１９とは、略反対側に配設されているが、これら補強部１９，２０は平行とされている。
【００１２】
ピストンロッドユニット５は、ピストンロッド２２と、その前端部に配設された攪拌体２３を有し、これらは一体形成されている。
【００１３】
図３〜図７にも示すように、ピストンロッド２２は、後端部が取付部２５とされ、取付部２５を除く部分が螺軸部２６とされている。取付部２５は螺軸部２６の後端から軸心方向後方に突設されており、取付部２５の前部に位置する中実部２７と、取付部２５の後部に位置する一対宛の突設部２８及び係合爪２９を有する。中実部２７は中実とされて、横断面形状が略正方形とされ、その前端の４つの隅部（角部）が螺軸部２６の外周面に接するようにされて、螺軸部２６の後端面における、中実部２７よりも径方向外方に位置する部分が、後方に面状を呈する当接面３０とされている。中実部２７の後端部における、軸心を挟んで対向する一対の辺部からは、突設部２８が後方に突設されている。各突設部２８は、径方向（軸心に対して接近・離間方向）に弾性変形を介して揺動可能とされており、各突設部２８の後端部からは係合爪２９が後方に突設されている。係合爪２９は各突設部２８よりも径方向外方に突出しており、その突出部分の前端面が、前方に面状を呈する係合面３１とされている。又、係合爪２９の外周面は、後方に向かってテーパー状のテーパー面３２とされて、その任意の横断面の外周は、外方に向かって突出する円弧状とされている。螺軸部２６の外周面には雄螺子が形成されて、ピストン３の雌螺子に進退自在に螺合（螺挿）されると共に、シール材４に軸心方向に摺動自在で且つ回動自在に挿通されて、ピストンロッド２２はシリンダ１から後方に突出している。
【００１４】
攪拌体２３はシリンダ１内で医療用ペーストを混練調合するもので、螺軸部２６の前端部に備えられて、シール材４とシリンダ１の前端部間に位置するもので、図例では、十文字状の攪拌羽根とされている。
【００１５】
ハンドル６は、ピストンロッド２２の取付部２５に回動不能で且つ軸心方向に移動不能として着脱自在に固定されて、シリンダ１の後方に位置するもので、軸心方向前方に開口する中空状とされると共に、軸心方向から見て、略円形状とされている。ハンドル６は、その後端部を構成する略円形状の後壁部３４と、後壁部３４の外周部から前方に突設された側壁部３５と、ハンドル６の中心部から前方に突設された角筒部３６と、後壁部３４と側壁部３５間を連結する補強壁３７を有し、一体成形されている。角筒部３６は横断面形状が（略）正方形とされ、角筒部３６の内部及び後壁部には、取付部２５が前方から挿脱自在に挿着される挿入孔３８が軸心方向に貫通形成されている。挿入孔３８は、横断面形状が取付部２５の中実部２７と（略）対応する（略）同じ大きさの略正方形とされて、後端部を除く部分を構成する第１孔部３９と、後端部を構成し且つ横断面が第１孔部３９よりも一回り大とされた第２孔部４０と、両孔部３９，４０を段付き状に接続し且つ後方に面状を呈する抜止面４１を有する。第１孔部３９には取付部２５の中実部２７及び突設部２８が挿入され、第２孔部４０には係合爪２９が挿入される。尚、係合爪２９は第２孔部４０内に位置し、後方には突出していない。抜止面４１は係合爪２９の係合面３１と軸心方向に関して対向しており、抜止面４１と角筒部３６の前端間の軸心方向の距離は、ピストンロッド２２の当接面３０と係合面３１間の軸心方向の距離よりも若干小とされている。尚、両者の距離を同一とすることもある。第１孔部３９の（略）正方形である横断面形状において、各辺部の中央部は、径方向外方に突出する円弧状に形成された円弧部４２とされている。又、第１孔部３９の前端部の内周面は、後方に向かってテーパー状の前側テーパー面４３とされ、第１孔部３９の後端部の内周面は、前方に向かってテーパー状の後側テーパー面４４とされている。
【００１６】
図８及び図９にも示すように、ストッパ７は、ピストン３をシリンダ１の後部で回転不能で且つ軸心方向に移動不能として解除可能に固定するもので、外嵌部４６と、凸部４７等を有する。外嵌部４６はシリンダ１の本体９の後端部、フランジ部１１及びピストン３の管部１３における、中間・後側鍔部１６，１７間の部分に径方向外方から嵌脱自在に外嵌されるもので、外嵌部４６には、上記部分が嵌入される凹設部４８が形成されると共に、この凹設部４８における、管部１３が嵌入される縁部には、凸部４７が立ち上がっている。そして、外嵌部４６が後側鍔部１７と、凸部４７が中間鍔部１６と、それぞれ、軸心方向に関して当接することで、ピストン３が軸心方向に移動不能とされる。又、凸部４７には、ピストン３の係合補強部１９と係脱自在に係合してピストン３を回動不能とする係合凹部４９が形成されている。尚、ストッパ７の装着時には、外嵌部４６が位置決め補強部２０と当接して、ピストン３を回動させることで、係合補強部１９と係合凹部４９の周方向に関する位置決めが容易に行えるようにされている。
【００１７】
上記構成例によれば、ハンドル６をピストンロッド２２に備える際には、図４及び図５に示すように、ピストンロッド２２の取付部２５の各係合爪２９及び突設部２８を、ハンドル６の挿入孔３８の第１孔部３９内周面の各辺部と対応させて、ピストンロッド２２の当接面３０がハンドル６の角筒部３６の前端に当接するまで、ハンドル６の挿入孔３８にピストンロッド２２の取付部２５を前方から挿入する。
【００１８】
この際、まず、取付部２５の各係合爪２９が第１孔部３９の前端部の内周面と当接し、この当接により、各突設部２８が弾性変形を介して径方向内方に揺動して、取付部２５が第１孔部３９内に挿入されていく。この場合に、第１孔部３９の略正方形である横断面形状において、各辺部の中央部が、直線状ではなく、径方向外方に突出する円弧状に形成された円弧部４２とされて、図３に示すように、軸心方向から見て、角筒部３６と係合爪２９の重なり合う部分が小さくされると共に、第１孔部３９の前端部の内周面が、後方に向かってテーパー状の前側テーパー面４３とされ、しかも、取付部２５の係合爪２９の外周面が、後方に向かってテーパー状のテーパー面３２とされているので、各係合爪２９のテーパー面３２と第１孔部３９の前側テーパー面４３との当接により、突設部２８を小さな力でスムーズ且つ容易に弾性変形させることができ、取付部２５を第１孔部３９内に小さな力でスムーズ且つ容易に挿入できる。
【００１９】
次に、係合爪２９は、第１孔部３９における、前側テーパー面４３の後方部分上を摺動した後、第１孔部３９の後端部に到達する。この際、この第１孔部３９の後端部の内周面が、前方に向かってテーパー状の後側テーパー面４４とされているので、係合爪２９が後側テーパー面４４を摺動することで、各突設部２８が弾性復元力により径方向外方にスムーズに揺動して、原姿勢に復帰し、係合爪２９の係合面３１が挿入孔３８の抜止面４１の後方側に位置して、両者は軸心方向に小隙を介して対向する。
【００２０】
この状態では、係合爪２９の係合面３１と挿入孔３８の抜止面４１の軸心方向に関する当接により、ハンドル６の後方への移動（ピストンロッド２２のハンドル６前方への移動）が阻止される。又、ピストンロッド２２の当接面３０とハンドル６の角筒部３６の前端の軸心方向に関する当接により、ハンドル６の前方への移動（ピストンロッド２２のハンドル６後方への移動）が阻止される。このように、ハンドル６はピストンロッド２２に対して軸心方向に移動不能とされる。
【００２１】
又、挿入孔３８の第１孔部３９の略正方形である横断面形状において、各辺部の中央部が、径方向外方に突出する円弧状に形成された円弧部４２とされているが、取付部２５の中実部２７が挿入孔３８の第１孔部３９の横断面と（略）対応する（略）同じ大きさの略正方形とされているので、図６に示すように、取付部２５の中実部２７の各隅部（角部）と突設部２８の周方向端部が、第１孔部３９の内周面の各隅部（角部）と周方向に関して当接することにより、ハンドル６のピストンロッド２２に対する回動が阻止される。特に、中実部２７が中実とされて、弾性変形しないので、中実部２７の各隅部（角部）と第１孔部３９の内周面の各隅部（角部）の当接により、ハンドル６のピストンロッド２２に対する回動を確実に阻止できる。このようにして、ハンドル６はピストンロッド２２の取付部２５に殆どガタツキなく取付けられる。
【００２２】
更に、ハンドル６をピストンロッド２２の取付部２５から取外す際には、ハンドル６とピストンロッド２２に、両者が離間する方向に力を加える。この際、まず、取付部２５の各係合爪２９が第１孔部３９の後端部の内周面と当接し、この当接により、各突設部２８が弾性変形を介して径方向内方に揺動して、各係合爪２９が第２孔部４０から第１孔部３９内に挿入されていく。この場合に、第１孔部３９の略正方形である横断面形状において、各辺部の中央部が、直線状ではなく、径方向外方に突出する円弧状に形成された円弧部４２とされ、図３に示すように、軸心方向から見て、角筒部３６と係合爪２９の重なり合う部分が小さくされると共に、第１孔部３９の後端部が、前方に向かってテーパー状の後側テーパー面４４とされているので、各係合爪２９と第１孔部３９の後側テーパー面４４の当接により、突設部２８を小さな力でスムーズ且つ容易に弾性変形させることができ、係合爪２９を第２孔部４０から第１孔部３９内に小さな力でスムーズ且つ容易に挿入できる。
【００２３】
次に、係合爪２９は、第１孔部３９における、後側テーパー面４４の前方部分上を摺動した後、第１孔部３９の前端部に到達する。この際、この第１孔部３９の前端部の内周面が、後方に向かってテーパー状の後側テーパー面４４とされると共に、取付部２５の係合爪２９の外周面が、後方に向かってテーパー状のテーパー面３２とされているので、各係合爪２９のテーパー面３２と第１孔部３９の前側テーパー面４３との当接により、各突設部２８が弾性復元力により径方向外方にスムーズに揺動して、原姿勢に復帰する。これにより、取付部２５が挿入孔３８から離脱して、ハンドル６のピストンロッド２２から取外し作業が修了する。
【００２４】
上記のように、挿入孔３８の第１孔部３９の内周面の各辺部の中央部が、直線状ではなく、径方向外方に突出する円弧状に形成された円弧部４２とされて、図３に示すように、軸心方向から見て、角筒部３６と係合爪２９の重なり合う部分が小さくされると共に、されると共に、第１孔部３９の前端部の内周面が、後方に向かってテーパー状の前側テーパー面４３とされ、しかも、第１孔部３９の後端部の内周面が、前方に向かってテーパー状の後側テーパー面４４とされて、更に、取付部２５の係合爪２９の外周面が、後方に向かってテーパー状のテーパー面３２とされているので、ハンドル６のピストンロッド２２の取付部２５に対する着脱を小さな力で容易且つスムーズに行える。
【００２５】
又、医療用ペースト混練注入器により医療用ペーストを調製して、体内等に注入する際には、まず、シリンダ１からピストン３、キャップ２及びストッパ７等を取り外した状態で、シリンダ１内に、ペースト原料（例えば、リン酸カルシウムの粉末）と混練液（例えば、蒸留水）を入れる。次に、シリンダ１のノズル部１０をキャップ２で閉塞した後、シール材４を備えたピストン３をシリンダ１内に挿入すると共に、ストッパ７により、ピストン３をシリンダ１の後部で回転不能で且つ軸心方向に移動不能に固定する。
【００２６】
その後、ハンドル６により、ピストンロッドユニット５を回転させながら、図１（ａ）に示す実線位置から仮想線で示す位置に前進させた後、ハンドル６を逆方向に回転させて、ピストンロッドユニット５を回転させながら、図１（ａ）に示す実線位置に後進させる。上記操作により、攪拌体２３によって、ペースト原料と混練液が攪拌、混練されるのであり、上記ピストンロッド２２の往復動を３〜１０回程度行えば、必要とする医療用ペースト（例えば、リン酸カルシウム系骨ペースト）を調製できる。
【００２７】
次に、ストッパ７をシリンダ１等から取外すと共に、キャップ２をシリンダ１から取外せば、ハンドル６の前方への押圧操作により、シリンダ１内の医療用ペーストを体内等に注入できる。又、この注入を軽い力で行いたい場合には、押出装置を医療用ペースト混練注入器にセットするのであるが、この際、ハンドル６をピストンロッド２２から取り外せば、ハンドル６が押出装置に支障を及ぼす惧れはない。
【００２８】
尚、上記実施の形態では、ピストンロッドの取付部の中実部とハンドルの挿入孔の横断面形状を略正方形とし、突設部を一対としたが、上記横断面形状を略多角形とし、突設部を３個以上としてもよい。
【図面の簡単な説明】
【００２９】
【図１】（ａ）は本発明の実施の形態の一例を示す縦側断面図であり、（ｂ）は（ａ）の一部を分解した縦側断面図である。
【図２】ストッパを備えた図１（ａ）の平面図である。
【図３】図２の一部拡大図である。
【図４】図１（ａ）の一部拡大図である。
【図５】図１（ｂ）の一部拡大図である。
【図６】図４のＡ−Ａ線矢視断面図である。
【図７】図５のピストンロッドの平面図である。
【図８】ストッパを備えた図１（ａ）のＢ−Ｂ線矢視断面図である。
【図９】図８のＣ−Ｃ線矢視断面図である。
【符号の説明】
【００３０】
１  シリンダ
３  ピストン
６  ハンドル
１０  ノズル部
２２  ピストンロッド
２３  攪拌体
２５  取付部
２７  中実部
２８  突設部
２９  係合爪
３０  当接面
３１  係合面
３２  テーパー面
３８  挿入孔
３９，４０  第１・第２孔部
４１  抜止面
４２  円弧部
４３，４４  前側・後側テーパー面
【図１】
2006334184.tif 000003
【図２】
2006334184.tif 000004
【図３】
2006334184.tif 000005
【図４】
2006334184.tif 000006
【図５】
2006334184.tif 000007
【図６】
2006334184.tif 000008
【図７】
2006334184.tif 000009
【図８】
2006334184.tif 000010
【図９】
2006334184.tif 000011